(57)【特許請求の範囲】
【請求項１】
内容液を収容する容器の口部に装着されるベースと、
該ベースに設けた枢軸を介して回動可能に保持される操作レバーと、
該ベースの内側に配置され、前記操作レバーの牽曳操作によって容器内の内容液を吸引、加圧、圧送するポンプと、
前記ポンプに設けたステムに装着される装着部、及び該装着部の上方に連なる筒状のノズル収容部を有する連結部材と、
前記ノズル収容部の内側で前後に摺動可能に配置され、前記ポンプによって圧送され前記ノズル収容部に設けた連通孔を通過した内容液を先端に設けた噴出口から噴出させるノズルと、を備え、
前記ノズルを前後に摺動させることにより、前記ノズル収容部に設けた連通孔を開閉可能とし、
前記ノズルは、該ノズルから下方に突出し、前記ノズルが後方位置にある際には前記ベースとの係合により前記操作レバーの牽曳操作を規制するとともに、前記ノズルが前方位置にある際には前記ベースに対する係合が解除されて前記操作レバーの牽曳操作を可能とするストッパー部を有する、トリガー式噴出器。
【請求項２】
前記ストッパー部は、前記ノズルが後方位置にある際に前記連結部材の装着部の外面に沿うように配置される湾曲部を有し、該湾曲部の下面が前記ベースの上面に当接することで、前記ノズル、前記連結部材、及び前記ステムの下方移動を規制する、請求項１に記載のトリガー式噴出器。
【請求項３】
前記連結部材の外面には、前記ノズルが後方位置にある際に前記湾曲部の上方に配置される突起を有する、請求項２に記載のトリガー式噴出器。
【請求項４】
前記ノズルは、該ノズルから上方に突出するノズル操作部を有し、該ノズル操作部を前後に移動させることにより前記ノズルを前後に移動可能に構成してなる、請求項１〜３の何れか一項に記載のトリガー式噴出器。
【請求項５】
前記ストッパー部及び前記ノズル操作部が、前記ノズルと一体に成形されてなる、請求項４に記載のトリガー式噴出器。
【発明の詳細な説明】
【技術分野】
【０００１】
本発明は、トリガーとなる操作レバーを引き寄せる（牽曳する）操作によって、容器に収容した内容液を噴出させるトリガー式噴出器に関するものである。
【背景技術】
【０００２】
従来、洗剤、カビ取り剤、衣料用糊剤、住居用ワックス、整髪剤、及び芳香剤等の内容液を収容した容器においては、操作レバーの牽曳操作によって内部に設けたポンプを駆動させ、ノズルの先端から内容液を外界へ向けて噴出させるトリガー式噴出器が用いられており、これにより内容液の効率的な供給を可能にしている。
【０００３】
このようなトリガー式噴出器としては、例えば、容器の口部に装着されるベースと、ベースの内側に配置され、上方付勢されたステムを備えたポンプと、ベースに対して回動可能に設けた操作レバーと、ステムの上方で前方に向けて延びるノズルとを備え、操作レバーの牽曳操作によってノズルと共にステムを押し下げ、ポンプの働きによって当該ステム及びノズルを介して圧送された内容液を、ノズルの先端に設けた噴出口から霧状に噴出させる構成が知られている（特許文献１参照）。
【先行技術文献】
【特許文献】
【０００４】
【特許文献１】特開２００２−１１３９２号公報
【発明の概要】
【発明が解決しようとする課題】
【０００５】
このようなトリガー式噴出器において、ノズルが長いとノズル先端の噴出口を対象物に近づけ易く、内容液を正確に対象物に吹き付けることが容易となる。また、ノズルが長いと、操作レバーから噴出口までの距離が長くなるので、噴出した液体が容器を把持する手などに付着し難くなる。
【０００６】
しかしながら、ノズルが長い場合には、噴出器全体として占める空間が大きくなるため、保管し難くなるという問題がある。また、特許文献１に記載されたトリガー式噴出器のように、常に操作レバーの牽曳操作が可能であると、誤操作等により意図せず内容液が噴出してしまうことがある。
【０００７】
それゆえ、本発明は、保管する際にノズルが邪魔とならず、内容液を対象物に正確に吹き付け易くするとともに、噴出した内容液が手に付着し難い構成とし、また、誤操作等による内容液の噴出を防止したトリガー式噴出器を提案することを目的とする。
【課題を解決するための手段】
【０００８】
本発明は上記課題を解決するためになされものであり、本発明のトリガー式噴出器は、内容液を収容する容器の口部に装着されるベースと、
該ベースに設けた枢軸を介して回動可能に保持される操作レバーと、
該ベースの内側に配置され、前記操作レバーの牽曳操作によって容器内の内容液を吸引、加圧、圧送するポンプと、
前記ポンプに設けたステムに装着される装着部、及び該装着部の上方に連なる筒状のノズル収容部を有する連結部材と、
前記ノズル収容部の内側で前後に摺動可能に配置され、前記ポンプによって圧送され前記ノズル収容部に設けた連通孔を通過した内容液を先端に設けた噴出口から噴出させるノズルと、を備え、
前記ノズルを前後に摺動させることにより、前記ノズル収容部に設けた連通孔を開閉可能としたことを特徴とするものである。
【０００９】
なお、本発明のトリガー式噴出器にあっては、前記ノズルは、該ノズルから下方に突出し、前記ノズルが後方位置にある際には前記ベースとの係合により前記操作レバーの牽曳操作を規制するとともに、前記ノズルが前方位置にある際には前記ベースに対する係合が解除されて前記操作レバーの牽曳操作を可能とするストッパー部を有することが好ましい。
【００１０】
また、本発明のトリガー式噴出器にあっては、前記ストッパー部は、前記ノズルが後方位置にある際に前記連結部材の装着部の外面に沿うように配置される湾曲部を有し、該湾曲部の下面が前記ベースの上面に当接することで、前記ノズル、前記連結部材、及び前記ステムの下方移動を規制することが好ましい。
【００１１】
また、本発明のトリガー式噴出器にあっては、前記連結部材の外面には、前記ノズルが後方位置にある際に前記湾曲部の上方に配置される突起を有することが好ましい。
【００１２】
また、本発明のトリガー式噴出器にあっては、前記ノズルは、該ノズルから上方に突出するノズル操作部を有し、該ノズル操作部を前後に移動させることにより前記ノズルを前後に移動可能に構成してなることが好ましい。
【００１３】
また、本発明のトリガー式噴出器にあっては、前記ストッパー部及び前記ノズル操作部が、前記ノズルと一体に成形されてなることが好ましい。
【発明の効果】
【００１４】
本発明によれば、保管する際にノズルが邪魔とならず、内容液を対象物に正確に吹き付け易くするとともに、噴出した内容液が手に付着し難い構成とし、また、誤操作等による内容液の噴出を防止したトリガー式噴出器を提供することができる。
【図面の簡単な説明】
【００１５】
【図１】本発明のトリガー式噴出器の一実施形態を断面で示す側面図である。
【図２】図１のトリガー式噴出器において、ノズルを前方に引き出した状態を示す側面図である。
【図３】図１のトリガー式噴出器において、ノズルを引き出して操作レバーを牽曳した状態を示す図である。
【図４】（ａ）は、図１のトリガー式噴出器におけるノズルを示す正面図であり、（ｂ）は側面図であり、（ｃ）は、図４（ｂ）におけるＡ−Ａ断面を示す断面図である。
【発明を実施するための形態】
【００１６】
以下、本発明の一実施形態を図面に基づき詳細に説明する。本発明のトリガー式噴出器は、例えば、洗剤、カビ取り剤、衣料用糊剤、住居用ワックス、整髪剤、及び芳香剤等の内容液を収容した容器に用いることができるが、内容液の種類は特に限定されるものではない。
【００１７】
図１に示すように、本実施形態のトリガー式噴出器１は、容器１０の口部１１に着脱自在に装着されるベース２０と、ベース２０に設けた枢軸２１を介して回動可能に保持される操作レバー３０と、ベース２０の内側に配置されるポンプ４０と、ポンプ４０のステム４１に装着される連結部材５０と、連結部材５０に対して摺動可能に装着されるノズル６０とを備える。
【００１８】
容器１０は、上端を開口させた円筒状の口部１１と、口部１１に連なる胴部１２と、胴部１２の下端を塞ぐ底部（図示省略）とを有するボトル状であり、その内側が内容液を収容する収容空間となっている。
【００１９】
ベース２０は、口部１１の外側に着脱可能にねじ止めされる装着筒２２と、装着筒２２の上方に連なり、上方に向けて徐々に縮径する肩部２３と、肩部２３の上方に連なる小径の上筒部２４とを備える。上筒部２４の後方には、間隔を隔てて対向配置された一対の支持壁２５が設けられ、一対の支持壁２５は、後方壁２６によって相互に連結されている。一対の支持壁２５の外面にはそれぞれ、操作レバー３０を回動可能に保持するための枢軸２１が突設されている。なお、本実施形態において装着筒２２は、口部１１にねじ係合する構成としているが、これに限定されず、アンダーカットによって係合する構成としても良い。
【００２０】
操作レバー３０は、間隔を隔てて対向配置された一対の側壁３１と、操作レバー３０の後方側から上方側にわたって、一対の側壁３１を相互に連結する天壁３２と、操作レバー３０の前方側で一対の側壁３１を連結する前方壁３３とを有する。天壁３２と前方壁３３の間は、ノズル６０を突出させる窓孔３４となっている。側壁３１の内面には、ベース２０の枢軸２１に軸支されて操作レバー３０を回動可能に保持する軸穴３５が設けられている。
【００２１】
ポンプ４０は、口部１１の内側に配置され、容器１０内に垂下する筒状のシリンダ本体４２を備え、シリンダ本体４２の内側には、シリンダ本体４２の内側で上下動するピストン４３と、ピストン４３の内側に配置されるシール筒４４と、シール筒４４の内側に配置され、下方に向けて延びるポペット弁体４５とが設けられている。シール筒４４の上方には、ステム４１が嵌合保持されており、当該ステム４１は、シリンダ本体４２の上端部に嵌合する抜止め筒４６によって、抜け止め保持されている。また、シリンダ本体４２の下端部には、吸上げパイプ４７が嵌合保持されている。ステム４１は、シリンダ本体４２の内部に設けられたスプリング４８によって、シール筒４４を介して上方付勢されている。
【００２２】
ここで、ポペット弁体４５は、その下端部がシリンダ本体４２の下方に設けた弁座４１ａの開口部を開閉する逆止弁として働くものであり、吸上げパイプ４７を介して内容液を吸上げる際には当該開口部を開放し、吸上げた内容液をステム４１側に圧送する際には、当該開口部を閉鎖する。
【００２３】
シリンダ本体４２の上端部には、外側に突出する環状のフランジ部４２ａが設けられ、フランジ部４２ａは容器１０の口部１１の上端と、ベース２０の肩部２３内面から垂下する保持筒部２３ａとの間に挟まれている。フランジ部４２ａと口部１１上端面との間には、封止部材（パッキン）４９が配置されている。
【００２４】
なお、ポンプ４０は、操作レバー３０の牽曳操作によって容器１０内の内容液を吸引、加圧、圧送するよう構成されていればその構造は特に限定されず、従来から提案されているものを適宜選択して使用することができる。
【００２５】
連結部材５０は、ステム４１の上方に嵌合する筒状の装着部５１と、相互の軸線が略直交するように装着部５１の上方に設けられた筒状のノズル収容部５２とを有する。本実施形態において、ノズル収容部５２の延在方向（軸線方向）は、装着部５１の軸線に垂直な方向に対して、前方が上となるように僅かに傾いているが、これに限定されるものではなく、ノズル収容部５２の延在方向は適宜設定することができる。装着部５１とノズル収容部５２は、連結部分に設けられた連通孔５３を介して連通している。ノズル収容部５２の外面には、被押圧突起５４が外側に向けてそれぞれ両側に突設されている。被押圧突起５４は、操作レバー３０の側壁３１の内面に、例えば凸部状又は凹部状に形成された押圧部に係合するものであり、操作レバー３０が牽曳されると、被押圧突起５４が当該押圧部に押し下げられる。被押圧突起５４の下方には、縦リブ状の補助突起５５が設けられている。
【００２６】
ノズル６０は、ノズル収容部５２の内側でノズル収容部５２の軸線方向に沿って前後に摺動可能に配置されている。ここで図１は、ノズル６０が連結部材５０に対して後方位置にある状態を示しており、図２は前方位置にある状態を示している。ノズル６０は、ノズル本体部６１と、ノズル本体部６１の外面から下方に突出するストッパー部６２と、ノズル本体部６１の外面から上方に突出するノズル操作部６３とを備える。
【００２７】
ノズル本体部６１は、ノズル収容部５２の内側に配置され、先端部が操作レバー３０の窓孔３４から前方に突出する。ノズル本体部６１の先端には噴出口６４が形成され、ノズル本体部６１の内部には、噴出口６４に繋がる内容液通路６５が形成されている。図１に示すように、ノズル本体部６１の先端には、噴出口６４を塞ぐノズルカバー８０を装着することができる。
【００２８】
ここで、図４（ａ）は、本実施形態のノズル６０を単体で示す正面図であり、図４（ｂ）は側面図であり、図４（ｃ）は図４（ｂ）のＡ−Ａ断面を示す断面図である。ノズル本体部６１の外面には、封止部材であるＯリング６６（図１参照）が嵌り込む一対の周溝６７が前後に間隔を空けて設けられており、一対の周溝６７の間には、内容液の通路となる内容液周溝６８が形成されている。内容液周溝６８の内面には貫通孔６９が設けられており、内容液周溝６８と内容液通路６５を連通させている。
【００２９】
図１に示すように、ノズル６０が後方位置にある状態では連結部材５０の連通孔５３の上方にノズル本体部６１の外面が配置される。また、図２に示すように、ノズル６０が前方位置にある状態では、内容液周溝６８が連結部材５０の連通孔５３の上方に配置されるため、ステム４１を通過した内容液が連通孔５３、内容液周溝６８、及び貫通孔６９を介して内容液通路６５に移動可能となる。
【００３０】
ノズル本体部６１の後端部には、上下一対の弾性片７１が形成されている。弾性片７１の先端には、外面から突出する爪部７２がそれぞれ設けられている。このような構成とすることで、ノズル６０を連結部材５０に組み付ける際、弾性片７１が内側に弾性変形して、ノズル本体部６１の後端をノズル収容部５２に挿入し易くなる。また挿入後は、弾性変形していた弾性片７１が復元して爪部７２がノズル収容部５２の後端に係合し、ノズル６０が連結部材５０に対して抜け止め保持される。
【００３１】
ストッパー部６２は、図４（ａ）、（ｂ）にも示すように、ノズル本体部６１の外面から下方に突出するとともに後方側に屈曲する板状部６２ａと、板状部６２ａの後端部に連なる湾曲部６２ｂとを有する。湾曲部６２ｂは、図４（ｃ）に示すように、平面視で半環状に形成されている。図１に示すように、ノズル６０が後方位置にある状態では、湾曲部６２ｂは連結部材５０の装着部５１の外面に沿うように近接配置される。また図１に示す状態において、湾曲部６２ｂは、ベース２０の上筒部２４の上方、また、補助突起５５の下方に配置される。
【００３２】
ノズル操作部６３は、図４（ａ）、（ｂ）にも示すように、ノズル本体部６１の外面から上方に突出するとともに湾曲しながら後方に向かって延びる板状の湾曲片６３ａと、湾曲片６３ａ及びノズル本体部６１を連結する連結リブ６３ｂとを有する。湾曲片６３ａの後端部には、滑り止め用の突状を外面に複数設けた指掛け部６３ｃが設けられている。
【００３３】
図１に示すように、湾曲片６３ａの指掛け部６３ｃは、天壁３２の上面に沿って配置され、この指掛け部６３ｃを前後に移動せることにより、ノズル６０を前後に移動させることができる。連結リブ６３ｂには、後方に突出する支持突起６３ｄが設けられており、ノズル６０が後方位置にある状態では、支持突起６３ｄと湾曲片６３ａとの間に天壁３２の前方端部が挟み込まれる。これにより、ノズル操作部６３の天壁３２に対するガタつきを抑制することができる。また、ノズル操作部６３を設けたことにより、天壁３２の窓孔３４を覆うことができるので、外観の悪化を防ぐことができる。
【００３４】
ここで、図１に示すようにノズル６０が後方位置にある状態で操作レバー３０を牽曳しようとした場合には、ストッパー部６２の湾曲部６２ｂの下面が、ベース２０の上筒部２４の上面に当接し、ノズル６０の下方移動が規制されるため、ノズル６０を保持する連結部材５０の下方移動も規制される。その結果、連結部材５０の下方移動が規制されることに伴い、操作レバー３０の牽曳操作が規制されることとなる。
【００３５】
本実施形態では、さらに、ストッパー部６２の湾曲部６２ｂの上方に配置される補助突起５５が設けられており、操作レバー３０を牽曳しようとした場合には、湾曲部６２ｂの上面が、連結部材５０の補助突起５５の下面に当接するよう構成されている。すなわち、ストッパー部６２の湾曲部６２ｂを、ベース２０の上筒部２４と補助突起５５とで上下に挟む構成としている。これにより、連結部材５０の下方移動をストッパー部６２で直接規制することができ、操作レバー３０の牽曳を規制する効果をさらに高めることができる。
【００３６】
本実施形態のトリガー式噴出器１を用いて内容液を噴出させる際には、図１に示す非使用状態から、ノズルカバー８０を取り外し、ノズル６０を前方に移動させる。図２に示すように、ノズル６０の前方への移動に伴い、ストッパー部６２が前方に移動し、湾曲部６２ｂがベース２０の上筒部２４よりも前方に移動した際に、ストッパー部６２とベース２０との係合が解除される。また、ノズル６０の前方への移動に伴い、湾曲部６２ｂと補助突起５５との係合も解除される。さらに、ノズル６０の前方への移動に伴い、ノズル操作部６３も前方に移動し、支持突起６３ｄと天壁３２との係合も解除される。これにより、操作レバー３０の牽曳操作が可能となる。図３に示すように操作レバー３０を牽曳すると、枢軸２１を支点に回動した側壁３１の内面に設けた押圧部が連結部材５０の被押圧突起５４を押し下げ、連結部材５０と一体に作動するノズル６０及びステム４１が押し下げられる。ステム４１が押下げられると、シリンダ本体４２の内部が加圧されて、圧送された内容液がステム４１、連通孔５３、内容液周溝６８、貫通孔６９、及び内容液通路６５を介して噴出口６４から噴出される。
【００３７】
上記のような構成を有する本実施形態のトリガー式噴出器１にあっては、ノズル６０を前後に摺動させることにより、ノズル収容部５２に設けた連通孔５３を開閉可能としたことで、簡易な操作で非使用状態から使用状態に切り替えることができる。また、非使用時には、図１に示すようにノズル６０を後方位置に配置することで、ストッパー部６２の働きにより、操作レバー３０の牽曳操作が規制されるため、誤操作等による内容液の噴出を防止することができる。また、ノズル６０を連結部材５０に対して前後に摺動可能に構成し、使用時にはノズル６０を前方に伸ばして使用するため、内容液を対象物に正確に吹き付け易く、また、噴出した内容液が手に付着し難い。また、非使用時には、ノズル６０を後方位置にする、すなわちノズル６０を縮めることにより、保管する際にノズル６０が邪魔になり難い。
【００３８】
また、本実施形態では、ノズル６０を前方移動させる操作により、ベース２０に対するストッパー部６２の解除を同時に行うことができるので、簡易な操作で非使用状態から使用状態に切り替えることができる。また、図２、３に示す使用状態においてもストッパー部６２がノズル本体部６１に保持されるので、ストッパー部６２を紛失する虞もない。
【００３９】
また、本実施形態では、ノズル操作部６３を設けたことにより、直接ノズル本体部６１を把持せずにノズル６０の前後移動を行うことができるので、操作性に優れ、ノズル本体部６１に残留した内容液が手に付着する等の虞がない。
【００４０】
また、本実施形態では、ストッパー部６２及びノズル操作部６３をノズル本体部６１と一体に成形される構成としたことにより、それぞれ別々に成形する場合に比べて、部品点数を削減することができる。
【００４１】
また、ノズルカバー８０を設けることで、内容液の意図しない噴出や液垂れを防止することができる。また、ノズルカバー８０を把持してノズル６０を前後移動させることも可能であり、これによれば、ノズル６０に残留した内容液が手に付着する虞もない。
【００４２】
なお、上述の実施形態においては、ストッパー部６２及びノズル操作部６３をノズル本体部６１と一体に成形する構成としているが、これに限定されず、それぞれ別々に成形して、成形後に組み付ける構成としても良い。別体として成形したストッパー部６２をノズル本体部６１に組み付ける方法としては、凹凸により係合させる方法や、何れか一方に開口を設けて他方をその開口に嵌め込む方法等、適宜設定することができる。同様に、ノズル操作部６３を別体として成形した場合にも、ノズル本体部６１に組み付ける方法は適宜設定することができる。
【００４３】
また、ストッパー部６２及びノズル操作部６３を一体に成形し、これをノズル本体部６１に組み付ける構成としてもよい。この場合、ストッパー部６２及びノズル操作部６３をノズル本体部６１に組み付ける方法は、上述のように凹凸により係合させる方法や、何れか一方に開口を設けて他方をその開口に嵌め込む方法等、適宜設定することができ、さらに、ストッパー部６２とノズル操作部６３との間に筒状部材を介在させ、ノズル本体部６１に係合させる構成としても良い。
【符号の説明】
【００４４】
１      トリガー式噴出器
１０    容器
１１    口部
１２    胴部
２０    ベース
２１    枢軸
２２    装着筒
２３    肩部
２３ａ  保持筒部
２４    上筒部
２５    支持壁
２６    後方壁
３０    操作レバー
３１    側壁
３２    天壁
３３    前方壁
３４    窓孔
３５    軸穴
４０    ポンプ
４１    ステム
４２    シリンダ本体
４３    ピストン
４４    シール筒
４５    ポペット弁体
４６    抜止め筒
４７    吸上げパイプ
４８    スプリング
４９    封止部材
５０    連結部材
５１    装着部
５２    ノズル収容部
５３    連通孔
５４    被押圧突起
５５    補助突起（突起）
６０    ノズル
６１    ノズル本体部
６２    ストッパー部
６２ａ  板状部
６２ｂ  湾曲部
６３    ノズル操作部
６３ａ  湾曲片
６３ｂ  連結リブ
６３ｃ  指掛け部
６３ｄ  支持突起
６４    噴出口
６５    内容液通路
６６    Ｏリング
６７    周溝
６８    内容液周溝
６９    貫通孔
７１    弾性片
７２    爪部
８０    ノズルカバー
【図１】
0006382149.tif 000002
【図２】
0006382149.tif 000003
【図３】
0006382149.tif 000004
【図４】
0006382149.tif 000005